【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
無線通信装置を操作する方法であって、
単一無線周波数（ＲＦ）モデムを含む前記無線通信装置を、双方向ネットワークである第１の無線ネットワークに関連づけるステップと、
前記無線通信装置を前記第１の無線ネットワークに接続するステップと、
前記単一ＲＦモデムを介して前記第１の無線ネットワークから、単方向ブロードキャスト無線ネットワークである第２の無線ネットワークを介して、開始される開始時間において受信されるべきブロードキャストイベントに関する情報を、受信するステップと、
前記ブロードキャストイベントの前記開始時間前の時間において、前記第１の無線ネットワークから前記無線通信装置を切断し、且つ、前記無線通信装置を前記第２の無線ネットワークに接続し、前記第１の無線ネットワークの前記関連づけが維持されているステップと、
前記単一ＲＦモデムを介して前記第２の無線ネットワークから、前記第１の無線ネットワークから受信された前記情報に基づいて、前記ブロードキャストイベントを、受信するステップと、を備える
ことを特徴とする方法。
【請求項２】
前記ブロードキャストイベントは、データ・パケットのストリームを含むことを特徴とする請求項１に記載の方法。
【請求項３】
前記ブロードキャストイベントに関連づけられたタイム・スライス情報を受信するステップと、
前記タイム・スライス情報に基づいて、前記第２の無線ネットワークから切断するステップと、
前記タイム・スライス情報に基づいて、前記第１の無線ネットワークに再接続するステップと、をさらに備えることを特徴とする請求項１に記載の方法。
【請求項４】
前記第１の無線ネットワークの切断、前記第２の無線ネットワークの関連づけ、前記第２の無線ネットワークの切断、および、前記第１の無線ネットワークの再接続は、前記タイム・スライス情報に基づいて、繰り返し実行されることを特徴とする請求項３に記載の方法。
【請求項５】
前記タイム・スライス情報は、上位層アプリケーション・モジュールからメディアアクセス制御（ＭＡＣ）モジュールに受信されることを特徴とする請求項３に記載の方法。
【請求項６】
前記第１の無線ネットワークおよび前記第２の無線ネットワークの少なくとも何れか１つは、ブロードバンド無線ネットワークであることを特徴とする請求項１に記載の方法。
【請求項７】
前記第１の無線ネットワークおよび前記第２の無線ネットワークは、異なるネットワーク周波数で動作し、
前記異なるネットワーク周波数は、前記無線通信装置によって格納され、且つ、前記第１の無線通信装置および前記第２の無線ネットワークのうちの対応する１つに接続するとき、それぞれの無線ネットワーク周波数に同調するために前記単一ＲＦモデムによって使用されることを特徴とする請求項１に記載の方法。
【請求項８】
前記無線通信装置において、前記無線通信装置が前記第１の無線ネットワークに関連づけられている間、前記第２の無線ネットワークに関連付けられている電子サービス・ガイド（ＥＳＧ）情報をＥＳＧサーバからダウンロードして格納するステップを、さらに備えることを特徴とする請求項１に記載の方法。
【請求項９】
前記ＥＳＧ情報をダウンロードして格納するステップは、
ＥＳＧクエリを前記無線通信装置から前記ＥＳＧサーバに送信するステップをさらに含むことを特徴とする請求項８に記載の方法。
【請求項１０】
前記ＥＳＧクエリは、前記第１の無線ネットワークの基地局の基地局識別子（ＢＳＩＤ）を含むことを特徴とする請求項９に記載の方法。
【請求項１１】
前記ＥＳＧ情報で識別された複数のブロードキャストイベントのうちの少なくとも１つの選択済みブロードキャストイベントに対応するユーザ入力を、受信するステップと、
前記少なくとも１つの選択済みブロードキャストイベントのイベント・タイミング情報を格納するものであり、前記第２の無線ネットワークから受信された前記ブロードキャストイベントが前記少なくとも１つの選択済みブロードキャストイベントであるステップと、をさらに備えることを特徴とする請求項８に記載の方法。
【請求項１２】
前記第２の無線ネットワークは、基地局を備える単方向ブロードキャスト無線ネットワークであり、且つ、前記無線通信装置は、前記基地局から直交周波数分割多重（ＯＦＤＭ）信号を受信することを特徴とする請求項１に記載の方法。
【請求項１３】
前記ブロードキャストイベントは、
前記第２の無線ネットワークの基地局から受信され、且つ、標準化プロトコルに従ってデジタル化されたビデオ・データを含む
ことを特徴とする請求項１に記載の方法。
【請求項１４】
無線通信装置において、
単一無線周波数（ＲＦ）モデムであって、
前記無線通信装置を、双方向ネットワークである第１の無線ネットワーク、および、単方向ブロードキャスト無線ネットワークである第２の無線ネットワークに関連づけるとともに、
前記無線通信装置を前記第１の無線ネットワークに接続し、ブロードキャストイベントの開始時間前の時間において、前記第１の無線ネットワークから前記無線通信装置を切断し、前記第１の無線ネットワークとの前記関連づけが維持されたまま、前記無線通信装置を前記第２の無線ネットワークに接続するように構成された前記単一ＲＦモデムと、
前記単一ＲＦモデムを介して前記第１の無線ネットワークから、前記第２の無線ネットワークを介して受信されるべき前記ブロードキャストイベントに関する情報を、受信するステップように構成されたネットワーク接続アービトレータ・モジュールと、
前記単一ＲＦモデムを介して、前記第１の無線ネットワークから受信された前記情報に基づいて、前記ブロードキャストイベントを、受信するように構成されたアプリケーション・モジュールと、を備える
ことを特徴とする無線通信装置。
【請求項１５】
前記ブロードキャストイベントは、データ・パケットのストリームを含むことを特徴とする請求項１４に記載の無線通信装置。
【請求項１６】
前記ネットワーク接続アービトレータ・モジュールは、前記ブロードキャストイベントに関連づけられたタイム・スライス情報を受信し、また、前記タイム・スライス情報に基づいて、前記無線通信装置を前記第２の無線ネットワークから切断するように前記単一ＲＦモデムを制御し、また、前記タイム・スライス情報に基づいて、前記第１の無線ネットワークに再接続するように構成されていることを特徴とする請求項１４に記載の無線通信装置。
【請求項１７】
前記ネットワーク接続アービトレータ・モジュールは、さらに、前記タイム・スライス情報に基づいた繰り返しの態様で、前記無線通信装置を、前記第１の無線ネットワークから切断し、前記第２の無線ネットワークに接続し、前記第２の無線ネットワークから切断し、また、前記第１の無線ネットワークに再接続するように、前記単一ＲＦモデムを制御するように構成されていることを特徴とする請求項１６に記載の無線通信装置。
【請求項１８】
前記アプリケーション・モジュールは、さらに、前記タイム・スライス情報を、前記ネットワーク接続アービトレータ・モジュールに送信するように構成されていることを特徴とする請求項１６に記載の無線通信装置。
【請求項１９】
前記第１の無線ネットワークおよび前記第２の無線ネットワークの少なくとも何れか１つは、ブロードバンド無線ネットワークであることを特徴とする請求項１６に記載の無線通信装置。
【請求項２０】
前記第１の無線ネットワークおよび前記第２の無線ネットワークは、異なるネットワーク周波数で動作し、
前記単一ＲＦモデムは、前記第１の無線通信装置および前記第２の無線ネットワークのうちの対応する１つに接続するとき、それぞれの無線ネットワーク周波数に同調するように構成されていることを特徴とする請求項１４に記載の無線通信装置。
【請求項２１】
前記アプリケーション・モジュールは、さらに、前記無線通信装置が前記第１の無線ネットワークに関連づけられている間、前記第２の無線ネットワークに関連付けられている電子サービス・ガイド（ＥＳＧ）情報をＥＳＧサーバからダウンロードするように構成されていることを特徴とする請求項１４に記載の無線通信装置。
【請求項２２】
前記アプリケーション・モジュールは、ＥＳＧクエリを前記第１の無線ネットワークを介して前記ＥＳＧサーバに送信し、且つ、前記ＥＳＧクエリに応じて前記ＥＳＧ情報をダウンロードするように構成されていることを特徴とする請求項２１に記載の無線通信装置。
【請求項２３】
前記ＥＳＧクエリは、前記第１の無線ネットワークの基地局の基地局識別子（ＢＳＩＤ）を含むことを特徴とする請求項２２に記載の無線通信装置。
【請求項２４】
前記アプリケーション・モジュールは、さらに、前記ＥＳＧ情報で識別された複数のブロードキャストイベントのうちの少なくとも１つの選択済みブロードキャストイベントに対応するユーザ入力を、受信し、且つ、前記少なくとも１つの選択済みブロードキャストイベントのイベント・タイミング情報を、格納するように構成され、前記第２の無線ネットワークから受信された前記ブロードキャストイベントは前記少なくとも１つの選択済みブロードキャストイベントであることを特徴とする請求項２１に記載の無線通信装置。
【請求項２５】
前記単一ＲＦモデムは、直交周波数分割多重（ＯＦＤＭ）変調を用いた前記単方向ブロードキャスト無線ネットワークから信号を受信するように構成されていることを特徴とする請求項１４に記載の無線通信装置。
【請求項２６】
前記単一ＲＦモデムは、標準化プロトコルに従ってデジタル化されたビデオ・データを含む前記ブロードキャストイベントを、前記第２の無線ネットワークの基地局から受信するように構成されていることを特徴とする請求項１４に記載の無線通信装置。